(57)【要約】【課題】構造の簡略化並びに組み付け作業性を向上するべく、図柄表示面が部分球体面で構成する場合に、表示窓からの見る場合に、見掛け上完全球体に見せる。【解決手段】半球体回転表示器１０において、２軸回転する半球体の端末が、レンズ１８の部分球面部１８Ａの内側に位置させることで、半球体１２の表面を図柄表示領域として最大限利用することができる。反面、半球体の端末と部分球面部１８Ａの周縁との間に隙間が生じることがあるため、半球体と共に公転し、かつ自転はしない遮蔽部材５０によって隠すことで、当該半球体の端末の見切れ部分を見立たなくすることができる。また、この遮蔽部材を必要最小限を大きさとしたため、ＬＥＤ４８の光を確実に半球体１２の内側へ案内し、透過照明を確実に行うことができる。【選択図】        図３
2004283333.tif 000002
【特許請求の範囲】
【請求項１】
遊技中に実行される抽選の結果を図柄変動パターン演出によって報知する図柄変動表示装置を備えた遊技機であって、
前記図柄変動表示装置が、
円形の表示窓部から目視可能な領域に対応して配置され、完全球体に対して所定の径寸法で接線方向にカットされた部分球体と、
前記部分球体を、前記カット面の法線となる軸線を自転軸として自転させる自転駆動手段と、
前記部分球体の自転軸を前記円形の表示窓の軸線に対して前記部分球体の端末が前記表示窓の周端よりも内側になるように傾斜させた状態で、前記部分球体を支持する支持手段と、
前記支持手段によって支持された部分球体を前記円形の表示窓の軸線を中心に公転させる公転駆動手段と、
前記部分球体と組み合わされて仮想の完全球体となり得る位置の一部に設けられ、かつ前記部分球体の公転に対して同一回転するように取り付けられ、前記部分球体の端末と前記表示窓の周端との間の隙間を遮蔽する遮蔽部材と、
を有することを特徴とする遊技機。
【請求項２】
前記部分球体の外部から内周面に向けて照射し、図柄を透過照明する複数の光源をさらに有し、前記遮蔽部材の公転時に、少なくとも全ての光源の光路を同時に遮らないように、前記遮蔽部材の形状と光源の配列との相対位置関係を設定したことを特徴とする請求項１記載の遊技機。
【発明の詳細な説明】
【０００１】
【発明の属する技術分野】
本発明は、遊技中に実行される抽選の結果を図柄変動パターン演出によって報知する図柄変動表示装置を備えた遊技機に関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
この種のパチンコ機では、抽選の結果を遊技者に報知する演出として、パチンコ機のゲージ盤の中央に表示装置を設置している。この表示装置は、ＬＣＤ等を用いた映像による電気式図柄表示形態と、回転ドラムや球体等（以下、移動体という）を用い、当該移動体の周面に付与された図柄を移動体の移動によって順次表示する機械式図柄表示形態とがある。
【０００４】
何れの表示形態であっても、複数の列（例えば３列）の図柄変動パターン画面が構成され、この変動する図柄変動パターン演出後に停止したときの図柄の並びで当／外を報知するようになっている。遊技者は、この図柄変動画面を見ることによって、当たりか外れかに一喜一憂するため、期待感を持たせることができる。
【０００５】
ところで、上記表示装置において、機械式図柄表示形態の場合、複数の互いに異なる向きの回転軸に対して回転することで、図柄変動パターンのバリエーションを増大させることができる。例えば、球体面を図柄表示画面とした場合、１軸で回転させると、図柄を球体面の一部（帯状の領域）のみしか表示部に位置決めすることができないが、２軸とすることで球体面の全領域を表示部に対応して位置決めすることができる（特許文献１参照）。
【０００６】
【特許文献１】
特開平０８−１９１９３６号公報
【０００７】
【発明が解決しようとする課題】
しかしながら、球体面を持つ表示装置では、ほぼ完全な球体を２軸以上で回転させるには、駆動系並びに駆動力伝達系（以下駆動系等という）の多くの部品が必要であり、かつ組み付け構造が複雑となるばかりでなく、限られたスペースに収まりきれないという不具合がある。
【０００８】
このため、球体の一部を削除して部分球体とすることで、駆動系等の取り回しの自由度を上げることが考えられるが、球体の一部をカットするとそのカット部分が表示窓から見切れてしまう可能性がある。
【０００９】
本発明は上記事実を考慮し、構造の簡略化並びに組み付け作業性を向上するべく、図柄表示面が部分球体面で構成する場合に、表示窓からの見る場合に、見掛け上完全球体に見せることができる遊技機を得ることが目的である。
【００１０】
【課題を解決するための手段】
請求項１に記載の発明は、遊技中に実行される抽選の結果を図柄変動パターン演出によって報知する図柄変動表示装置を備えた遊技機であって、前記図柄変動表示装置が、円形の表示窓部から目視可能な領域に対応して配置され、完全球体に対して所定の径寸法で接線方向にカットされた部分球体と、前記部分球体を、前記カット面の法線となる軸線を自転軸として自転させる自転駆動手段と、前記部分球体の自転軸を前記円形の表示窓の軸線に対して前記部分球体の端末が前記表示窓の周端よりも内側になるように傾斜させた状態で、前記部分球体を支持する支持手段と、前記支持手段によって支持された部分球体を前記円形の表示窓の軸線を中心に公転させる公転駆動手段と、前記部分球体と組み合わされて仮想の完全球体となり得る位置の一部に設けられ、かつ前記部分球体の公転に対して同一回転するように取り付けられ、前記部分球体の端末と前記表示窓の周端との間の隙間を遮蔽する遮蔽部材と、を有することを特徴としている。
【００１１】
請求項１記載の発明によれば、図柄変動表示装置の表示媒体として、部分球体を用い、円形の表示窓から見る場合に見掛け上、完全球体であるかの如く見せる構造としている。なお、部分球体としては、成型の容易性から半球体が好ましい。また、半球体では図柄表示領域が不足する場合には、半球体の端末から円筒状に必要量延長させることで、成型の容易性を維持しつつ、図柄表示領域を増加することができる。
【００１２】
ここで、例えば、部分球体の内面に傘の枝の如く回転軸（カット面の法線上）を設け、この回転軸を円形の表示窓の軸線に対して、所定角度傾斜させた状態とする。この回転軸回りに回転させることで部分球体は自転する。すなわち、回転軸が自転軸となり得る。
【００１３】
なお、所定角度とは、部分球体の端末が前記表示窓の周端よりも内側になるような角度である。
【００１４】
ここで、前記自転と共に、この半球体を前記表示窓の軸線回りに回転させる（公転）させることで、部分球体のほとんどの面を図柄表示領域として利用することができる。
【００１５】
ところで、部分球体の表面を可能なかぎり図柄表示領域として利用しようとするため、あえて、部分球体の端末が前記表示窓の周端よりも内側とした。このため、表示窓に対して部分球体の端部が見切れてしまうことがある。設計上、見切れないように余裕を持たせることはできるが、その分、表示窓の面積が小さくなったり、図柄表示領域が狭まってしまい、いずれにしても遊技者の図柄認識性を低下させてしまうことになる。
【００１６】
そこで、部分球体と組み合わされて仮想の完全球体となり得る位置に遮蔽部材を設けた。この遮蔽部材は、前記半球体の公転に対して同一回転させることで、前記部分球体の端末から球面が延長されているかのようになり、見掛け上表示窓からは、完全球体が回転しているように見え、部分球体の端末が見切れることがない。
【００１７】
請求項２に記載の発明は、前記請求項１に記載の発明において、前記部分球体の外部から内周面に向けて照射し、図柄を透過照明する複数の光源をさらに有し、前記遮蔽部材の公転時に、少なくとも全ての光源の光路を同時に遮らないように、前記遮蔽部材の形状と光源の配列との相対位置関係を設定したことを特徴としている。
【００１８】
請求項２に記載の発明によれば、部分球体の球面には、図柄が付与されており、これを内側からの光（透過照明）によって表示窓から見えるようにすることで遊技者への視認性並びに演出効果を高めることができる。この透過照明用の光源は、部分球体の外部から送り込むことが構造上簡便である。
【００１９】
ここで、前記遮蔽部材が公転するとき、光源の光路を遮ることになる。そこで、少なくとも全ての光源の光路を同時に遮らないように、前記遮蔽部材の形状と光源の配列との相対位置関係を設定する。例えば、遮蔽部材を前記半球体の自転方向に対して前記表示窓に対向する領域位置のみに配置することで、少なくとも全ての光源の光路を同時に遮らないようにすることができる。
【００２０】
【発明の実施の形態】
図１には、本発明の一実施の形態に係るパチンコ機３００が示されている。パチンコ機３００は外枠３０２を備え、外枠３０２の前面には、窓部を有する額縁状の内枠３０４の一側部（図１の左辺部）が開閉可能に取付けられている。
【００２１】
内枠３０４には、複数の表示灯３０６やフロントスピーカ３０８、３１０が設けられている。また、内枠３０４の中央には、窓部となっており、この窓部には紙面奥行き方向に所定の間隔で互いに平行とされた一対のガラス３１２（二重構造）が装着されたガラス枠３１４が設けられている。また、内枠３０４の図１の右辺部には施錠装置（シリンダ）３１６が設けられている。
【００２２】
ガラス枠３１４の下方位置には、球皿部３１８を備えた一体皿３２０が配設されている。この一体皿の球皿部３１８には、貯球タンク（図示省略）と連通し、この貯球タンク内のパチンコ球を球皿部３１８へ流出させる連通口３２２が設けられている。
【００２３】
一体皿３２０は、その一側部（図１の左辺部）が内枠３０４に対して開閉可能に取付けられている。一体皿３２０の前面には、左側下部に灰皿３２４が配置され、右側下部には図示しない発射装置から発射する打球の飛距離を調整するための発射ハンドル３２６が設けられている。
【００２４】
また内枠３０４の窓部には、遊技盤載置台に載せて交換可能とされた遊技盤３２８が窓部に対応して設置されている。
【００２５】
図２に示される如く、遊技盤３２８は、外バンド３３０及び内バンド３３２によって囲まれた略円形状の遊技領域３３４が形成されている。
【００２６】
遊技領域３３４には、図示しない釘や風車の他、センター役物３３６、当該センター役物３３６に設けられた特別図柄表示装置３３８、並びに大入賞口（変動入賞装置）３４０等の役物、始動口３４２や通過装置３４４、入賞装置３４６等の遊技部品が取り付けられており、最下位置にアウト口３４８が配置されている。
【００２７】
なお、特別図柄表示装置３３８の詳細構成については、後述する。
（特別図柄表示装置の詳細構成）
図２に示される如く、特別図柄表示装置３３８は、複数の半球体回転表示器１０によって構成されている。以下、図３乃至図５に従い１個の半球体回転表示器１０の構造について説明する。
【００２８】
図３に示される如く、半球体回転表示器１０は、互いに所定の角度で交差する２軸（Ｌ１、Ｌ２）の一方が自転軸、他方が公転軸となって、それぞれ部分球体としての半球体１２を回転させる構造となっている。
【００２９】
半球体１２には、複数の図柄１４（図４参照）が所定の配列で付与されている。この図柄１４は、例えば、熱によって収縮する部材を半球体１２に覆い被せ、加熱することで、密着するような構造、或いは直接プリントしたり、シール等を貼り付ける構造であってもよい。
【００３０】
半球体回転表示器１０には、前記自転及び公転が単一の駆動源で駆動する単一駆動源タイプと、自転と公転とが独立した駆動源で駆動する独立駆動源タイプとがあり、適宜使い分けて使用されている。図３は、独立駆動源タイプの半球体回転表示器１０を示している。
【００３１】
半球体回転表示器１０は、一面が開口された矩形の箱体１６をベースとして組み付けられている。
【００３２】
また、箱体１６の開口面は、遊技盤３２８に設けられた貫通孔３２８Ａに対向している。この貫通孔３２８Ａに部分球面部１８Ａを持つレンズ１８が嵌め込まれている。レンズ１８の部分球面部１８Ａからは、半球体１２の一部が露出するようになっており、遊技者はこのレンズ１８の部分球面部１８Ａから露出する半球体１２の一部に表示された図柄を見ることになる。
【００３３】
なお、このレンズ１８の部分球面部１８Ａを側面視したときの扇状に開いた角度θ（当該部分球面部１８Ａの仮想球体（図３の想像線Ａ参照）の中心を基準とした角度θ）は約８０°であり、この角度θは大きければ大きいほど表示領域を大きくすることができ、遊技者に対する見易さ、並びに遊技盤３２８の意匠面から設定されるようになっている。
【００３４】
前記箱体１６の底板部１６Ａは、段差が形成されており、図３の状態で周縁よりも低位となっている（低位部１６Ｂ）。この低位部１６Ｂには、貫通孔１６Ｃが設けられている。
【００３５】
低位部１６Ｂには、ベアリング２０を介して公転支柱２２が軸支されている。
【００３６】
この公転支柱２２は、回転軸となり得る円筒部２２Ａと、この円筒部２２Ａの図３の上面から斜め方向に延出されたブラケット部２２Ｂとが一体形成された構造となっている。
【００３７】
円筒部２２Ａは、軸線方向に配列された一対のベアリング２４を介して円筒軸２５に軸支されている。なお、一対のベアリング２４は、スペーサ２７によって円筒部２２Ａの軸線方向両端部に位置し、その間隔が保持されている。
【００３８】
円筒軸２５は、軸線方向に配列された一対のベアリング２９を介して、ボス軸２６に軸支されている。なお、一対のベアリング２９は、スペーサ３１によって円筒軸２５の軸線方向両端部に位置し、その間隔が保持されている。
【００３９】
すなわち、公転支柱２２の円筒部２２Ａと、円筒軸２５とは、ボス軸２６周りに同軸上に配置され、かつ独立して回転可能となっている。
【００４０】
円筒軸２５における、前記底板部１６Ａから外側に突出した端部（図３の下端部）には、歯車２８が取り付けられている。歯車２８は、円筒軸２５と共に回転するようになっている。歯車２８には、モータ３２の駆動軸に取り付けられたギヤ３２Ａと噛み合っており、モータ３２の駆動力で歯車２８を介して円筒軸２５を回転させることができる（自転）。
【００４１】
また、前記円筒軸２５に取り付けられた歯車２８の一方の端面は、外径が拡大されて皿状のフランジ２８Ａが形成されており、その外周リブには、周方向に均等に配列された複数のスリット２８Ｂが形成されている。フランジ２８Ａには、外周リブを挟むように図示しない光電センサが設けられている。すなわち、光電センサの投光部と受光部との間をフランジ２８Ａの外周リブが通過することで、スリット２８Ｂによって、回転軸２２の回転に応じたパルス信号を得ることができる構成となっている。
【００４２】
一方、公転支柱２２の円筒部２２Ａの外周には、円筒形の歯車３４が嵌合している。歯車３４は、円筒部２２Ａ（すなわち、公転支柱２２）と共に回転するようになっている。歯車３４には、モータ３８の駆動軸に取り付けられたギヤ３８Ａと噛み合っており、モータ３８の駆動力で歯車３４を介して円筒部２２Ａ（公転支柱２２）を回転させることができる（公転）。
【００４３】
また、歯車３４の外周には、薄肉円板状のフランジ３４Ａが形成されており、その外周縁には、周方向に均等に配列された複数のスリット３４Ｂが形成されている。フランジ３４Ａには、前記スリット３４Ｂの移動軌跡を挟むように図示しない光電センサが設けられている。すなわち、光電センサの投光部と受光部との間をフランジ３４Ａが通過することで、スリット３４Ｂによって、円筒部２２Ａ（公転支柱２２）の回転に応じたパルス信号を得ることができる構成となっている。
【００４４】
公転支柱２２のブラケット部２２Ｂの延出方向先端部は、半球体支持部２２Ｃとなっている。半球体支持部２２Ｃは、前記ボス軸２６の軸線（公転軸となるＬ２）に対して所定の角度（本実施の形態では、約６０°）傾斜された軸線（時点軸となるＬ１）となる半球体取付孔２２Ｄが設けられている。
【００４５】
半球体１２は、球体の１／２にカットされた球面部１２Ａと、この球面部１２Ａのカット面から円筒状に延出する円筒面部１２Ｂと、で構成された薄肉の一体成型品であり、内周面には、軸芯部（軸線Ｌ１に沿って）としての円筒部１２Ｃが形成されている。
【００４６】
この円筒部１２Ｃが、前記半球体支持部２２Ｃの半球体取付孔２２Ｄと同軸とされ、ベベルピニオン４４を介して回転可能に支持されている。
【００４７】
これにより、公転支柱２２が円筒部２２Ａを中心に回転すると、半球体１２が軸線Ｌ２を軸として公転する。この公転では、前記レンズ１８の部分球面部１８Ａから見える領域に変化はなく、その向きだけが変化することになる。
【００４８】
前記ベベルピニオン４４は、半球体支持部２２と、半球体１２の円筒部１２Ｃとを連結するという役目の他、半球体１２を自転させるための駆動力を伝達する役目を有している。
【００４９】
すなわち、ベベルピニオン４４は、部分球体形状の歯車部４４Ａが一体形成された構造となっている。
【００５０】
このベベルピニオン４４に対応して、前記円筒軸２５の図３の上端部にはベベルギヤ４６が取り付けられている。このベベルギヤ４６は、部分球体形状の歯車部４６Ａが一体形成された構造となっている。
【００５１】
このベベルギヤ４６の歯車部４６Ａは、前記ベベルピニオン４４の歯車部４４Ａと噛み合っており、この結果、円筒軸２５が回転すると、その回転力がベベルギヤ４６、ベベルピニオン４４を介して、半球体１２の円筒部１２Ｃに伝達され、半球体１２を自転させることができる。
【００５２】
この自転では、前記レンズ１８の部分球面部１８Ａから見える領域が変化することになる。
【００５３】
前記箱体１６の底板部１６Ａ（内面側）には、複数のＬＥＤ４８が円周状に均等配設されており、このＬＥＤ４８の発光光は、半球体１２の内側に照射され、半球体１２に付与された図柄を透過照明するようになっている。
【００５４】
なお、この自転によって、前記レンズ１８の部分球面部１８Ａから見える領域は、前記軸芯部に形成された円筒部１２Ｃの周辺を除く領域となっており、肉厚寸法が同一の領域となっており、この領域を大きくとればとるほど、図柄の大きさや図柄の配列間隔を大きくとることができる。
【００５５】
ここで、自転軸Ｌ１と、公転軸Ｌ２との交差角度β（半球体１２の傾斜角度）は、前記レンズ１８の部分球面部１８の開口角度θに合わせることが好ましいが、それ以上に図柄の大きさや図柄の配列間隔を大きくとることを優先し、かつ他部材（底板部１６Ａから突出する円筒部２２等）との干渉を考慮して、前述のように傾斜角度を決めている。
【００５６】
ここで、レンズ１８に設けた部分球面部１８Ａの開き角度θと、前記半球体１２の傾斜角度βとを、総合的に勘案することで、半球体１２の図柄表示面を、部分球面部１８Ａから見える目視領域として最大限利用するようにしているが、レンズ１８は遊技盤３２８側に取り付ける部品であり、半球体表示器１０とは製造工程等が異なるため、必要最小限の仕様の共有によって、独立して製作される。
【００５７】
この場合、半球体１２のカット面（開口端末）が前記レンズ１８の部分球面部１８Ａの内側に位置することがないように、安全を見て互いに設計すると、最終的に遊技者が図柄を目視する領域が狭まり、十分な表示演出ができない場合がある。
【００５８】
このため、互いに共通仕様の最大限の範囲で表示図柄の見易さを第１として製作しており、この結果として、半球体１２のカット面（開口端末）が前記レンズ１８の部分球面部１８Ａの内側に位置することで、半球体１２を回転させるための構造部分（ベベルピニオン４４等）が露出してしまう（見切れ部分の発生）。
【００５９】
そこで、本実施の形態では、前記公転支柱２２のブラケット部２２Ｂにおける半球体支持部２２Ｃに遮蔽部材５０を取り付けている。
【００６０】
図６に示される如く、この遮蔽部材５０は、略扇型とされ、当該扇の要部分が前記半球体支持部２２Ｃの半球体取付孔２２Ｄに、半球体１２及びベベルピニオン４４を回転可能に支持するときに、共締めされている。このため、遮蔽部材５０は、半球体支持部２２Ｃと一体に移動する（公転はするが自転はしない）。
【００６１】
遮蔽部材５０は、半球体１２の内周面とほぼ同一の遮蔽球面部５０Ａを備え、この遮蔽球面部５０Ａが前記半球体１２の見切れているを目立たなくする役目を有している。
【００６２】
また、遮蔽部材５０は、半球体１２と同一の材質であることが好ましく、この結果、前記ＬＥＤ４８からの発光光による半球体１２を透過する光量と、遮蔽部材５０を透過する光量とがほぼ同一となり、半球体１２と遮蔽部材５０との境界部分を目立たなくすることができる。
【００６３】
さらに、この遮蔽部材５０は、必要最小限の大きさとし、前記一部のＬＥＤ４８からの発光光が遮られても、他一部のＬＥＤ４８の発光光が確実に半球体１２の内側に入るような構造となっている。
【００６４】
すなわち、ＬＥＤ４８の配列状態と、遮蔽部材５０の形状とにおいて、相対位置関係を考慮することで、遮蔽部材５０が半球体１２と共に公転すると、何れかのＬＥＤ４８からの光を遮ることになる。しかし、このとき、別のＬＥＤ４８の光まで遮ることがなければ、公転を継続しているときに、全てのＬＥＤ４８の光が遮られることはない。
【００６５】
以下に本実施の形態の作用を説明する。
【００６６】
遊技者がハンドル３２６を把持してパチンコ球を発射すると、パチンコ球は、外レール３３０と内レール３３２とに案内されて、遊技盤３２８上に送り出される。
【００６７】
パチンコ球は遊技盤３２８上で釘や風車等に当接して、思わぬ方向にはじかれながら落下し、所定の確率で始動口３４２に入賞すると、これを、内部の入賞センサで検知して、抽選が実行される。
【００６８】
抽選の結果は、センター役物３３６の特別図柄表示装置３３８における、図柄変動パターン演出によって遊技者に報知される。
【００６９】
すなわち、この図柄変動パターン演出中は遊技者は、特別図柄表示装置３３８を期待感を持って見ることになり、最終的に停止した図柄の配列で当／外が決定する。
【００７０】
本実施の形態では、この図柄変動パターン演出の媒体として、複数の半球体回転表示器１０を適用している。
【００７１】
半球体表示器１０は、特定図柄表示装置３３８内で所定の配列（例えば、図１に示される如く、５個の半球体表示器１０を対角線上に配列等）され、それぞれが独立して変動する。
【００７２】
各半球体表示機１０は、半球体１２を備え、２軸の回りを独立して回転する。すなわち、モータ３２が駆動することで、歯車２８を介して円筒軸２５が回転する。この円筒軸２５の回転によりベベルギヤ４６及びベベルピニオン４４が回転するため、半球体１２は、円筒部１２Ｃを中心に自転する。半球体１２が自転すると、半球体１２の適宜位置に付与された図柄１４が順次レンズ１８の部分球面部１８Ａの正面に位置し、遊技者の目視対象図柄となる。
【００７３】
一方、モータ３８が駆動すると、歯車３４を介して公転支柱２２の円筒部２２Ａが回転する。この円筒部２２Ａの回転により、公転支柱２２のブラケット部２２Ｂが公転軸Ｌ２周りに回転するため、ボス軸２６の軸線に対して約６０°傾斜された半球体１２が円筒部２２Ａ周りに回転し、この結果、半球体１２は、公転する。
【００７４】
半球体１２が公転した場合は、前記レンズ１８の部分球面部１８Ａに位置する図柄は変わらず向きが変化する。
【００７５】
上記半球体１２の自転と公転とを併用することで、図柄の変動並びに向きが変化するという、従来にない図柄変動パターンを演出することができる。
【００７６】
また、この図柄変動パターン演出の際、ＬＥＤ４８からの発光光を半球体１２の内部に案内し、透過照明として利用しているため、レンズ１８の部分球面部１８Ａから見える図柄を見易くすることができ、演出効果も向上することができる。
【００７７】
ここで、レンズ１８の部分球面部１８Ａの領域は、部分球面部１８Ａの仮想球体（図３の想像線Ａ参照）の中心（半球体１２の中心と一致する）を基準とした角度θが約８０°であり、このため、半球体１２の開口端末部分がレンズ１８の部分球面部１８Ａの内側に位置することになる。
【００７８】
これは、レンズ１８の部分球面部１８Ａから露出される図柄表示領域を最大限にすること、半球体１２の表面をできる限り図柄表示領域として利用すること、という二律背反の要求によって起こり得ることであり、安全を見て（見切れ部分がないように）設計することでもよいが、遊技者に対する視認性、表示演出効果を高めることを優先した結果である。
【００７９】
そこで、本実施の形態では、前記公転支柱２２のブラケット部２２Ｂにおける半球体支持部２２Ｃに遮蔽部材５０を取り付け、公転支柱２２と一体となって移動させるようにすることで、遮蔽球面部５０Ａが前記半球体１２の見切れている部分を目立たなくする。
【００８０】
また、遮蔽部材５０は、半球体１２と同一の材質であり、ＬＥＤ４８からの発光光による半球体１２を透過する光量と、遮蔽部材５０を透過する光量とがほぼ同一となり、半球体１２と遮蔽部材５０との境界部分を目立たなくすることができる。
【００８１】
さらに、この遮蔽部材５０の遮蔽球面部５０Ａは、前記レンズ１８の部分球面部１８Ａに対向した部分のみに限定して配置したため、公転の際に、一部のＬＥＤ４８からの発光光が遮られことがあっても、他一部のＬＥＤ４８の発光光が確実に半球体１２の内側に入れることができる。
【００８２】
以上説明したように本実施の形態では、半球体回転表示器１０において、２軸回転する半球体の端末が、レンズ１８の部分球面部１８Ａの内側に位置させることで、半球体１２の表面を図柄表示領域として最大限利用することができる。反面、半球体の端末と部分球面部１８Ａの周縁との間に隙間が生じることがあるため、半球体と共に公転し、かつ自転はしない遮蔽部材５０によって隠すことで、当該半球体の端末の見切れ部分を見立たなくすることができる。また、この遮蔽部材を必要最小限を大きさとしたため、ＬＥＤ４８の光を確実に半球体１２の内側へ案内し、透過照明を確実に行うことができる。
【００８３】
なお、本実施の形態では、半球体１２と、遮蔽部材５０とのオーバーラップ部において、遮蔽部材５０を内側としたが、逆に半球体１２の外側にオーバラップさせるようにしてもよい。また、境界部分を突き合わせるようにしてもよい。
【００８４】
また、上記では、半球体回転表示器１０として、自転と公転とが独立した駆動源で駆動する独立駆動源タイプの構造について説明したが、前記自転及び公転が単一の駆動源で駆動する単一駆動源タイプであっても同様の効果を得ることができる。なお、単一駆動源タイプの構造は、単一のモータで所定の変速比によって、２軸を回転させることで、１周期（最初に表示された図柄が、同一の向きで表示されるまでの期間）が長くなる以外には、上記独立駆動源タイプほぼ同一である。
【００８５】
さらに、本実施の形態では、ＬＥＤ４８からの発光光の全てを同時に遮らないように、遮蔽部材５０の主要部（遮蔽球面部５０Ａ）を扇型としたが、ＬＥＤ４８の取付数、配列状態とによっては、扇型に限定されるものではなく、ＬＥＤ４８との相対位置関係によって様々な形状が考えられる。
【００８６】
また、遮蔽部材５０の遮蔽球面部５０Ａ自体を上記ＬＥＤ４８との相対位置関係で形状を決めるのではなく、全体を透明として形状を一律とし、塗装やシールによって、必要な部分（見切り部分を目立たなくする部分）のみを半球体１２の色と同等にするようにしてもよい。
【００８７】
さらに、本実施の形態では、遊技機としてパチンコ機３００を例にとり説明したが、パチスロ機、パチンコ球を遊技媒体として適用しパチスロ機と同等の遊技を行うパロット機や、各種ゲーム機における遊技者への報知のための表示機器に適用可能である。
【００８８】
【発明の効果】
以上説明した如く本発明では、構造の簡略化並びに組み付け作業性を向上するべく、図柄表示面が部分球体面で構成する場合に、表示窓からの見る場合に、見掛け上完全球体に見せることができるという優れた効果を有する。
【図面の簡単な説明】
【図１】本実施の形態に係る遊技機の正面図である。
【図２】本実施の形態に係る遊技盤の正面図である。
【図３】本実施の形態に係る半球体回転表示器の側面図である。
【図４】本実施の形態に係るレンズの正面図である。
【図５】本実施の形態に係る半球体回転表示器の斜視図である。
【図６】本実施の形態に係る遮蔽部材の６面図であり、（Ａ）は正面図、（Ｂ）は図６（Ａ）の上面図、（Ｃ）は図６（Ａ）の左側面図、（Ｄ）は図６（Ａ）の右側面図図、（Ｅ）は図６（Ａ）の下面図である。
【符号の説明】
１０    半球体回転表示器（図柄変動表示装置）
１２    半球体（部分球体）
１４    図柄
１６    箱体
１８    レンズ
１８Ａ    部分球面部
２２    公転支柱（支持手段）
２２Ａ    円筒部
２２Ｂ    ブラケット部
２５    円筒軸
２６    ボス軸
３２    モータ（自転駆動手段）
３８    モータ（公転駆動手段）
４２    シャフト
４４    ベベルピニオン
４６    ベベルギヤ
４８    ＬＥＤ（光源）
５０    遮蔽部材
５０Ａ    遮蔽球面部
３００    パチンコ機（遊技機）
３２８    遊技盤
３３６    センター役物
３３８    特別図柄表示装置
３４２    始動口
【図１】
2004283333.tif 000003
【図２】
2004283333.tif 000004
【図３】
2004283333.tif 000005
【図４】
2004283333.tif 000006
【図５】
2004283333.tif 000007
【図６】
2004283333.tif 000008